(57)【特許請求の範囲】
【請求項１】
目地を設けて配置された複数のブロックと、
前記目地に配設され、前記各ブロックを嵌め合わせる複数の枠組孔部を有する枠組と、
前記目地に充填される充填物と、を有し、
前記ブロックの上端は、その下端よりも幅狭であって、かつ、前記枠組孔部が挿通する大きさに形成されており、
配置された前記ブロックの上方から前記枠組を嵌め合わせることにより、前記ブロックの中腹部分と前記枠組とが係止されていることを特徴とするブロック舗装体。
【請求項２】
前記ブロックと前記枠組が接触する接触部において、
前記ブロックの水平断面形状と前記枠組孔部を平面視した形状は略同等であり、かつ、
前記ブロックの水平断面に係る外周と前記枠組孔部の内周は略同等であることを特徴とする請求項１に記載のブロック舗装体。
【請求項３】
前記枠組は、鉄筋で構成されていることを特徴とする請求項１又は請求項２に記載のブロック舗装体。
【請求項４】
前記充填物は、用土と、用土の表面に植生される植物であることを特徴とする請求項１乃至３のいずれか一項に記載のブロック舗装体。
【請求項５】
前記植物は、芝であることを特徴とする請求項４に記載のブロック舗装体。
【請求項６】
下端よりも上端が幅狭となるように形成された複数のブロックと、
前記各ブロックに嵌め合わされる複数の枠組孔部を有する枠組と、
前記ブロック同士の間に形成された目地に充填される充填物と、を有するブロック舗装体の施工方法であって、前記ブロックの上端は、前記枠組孔部が挿通する大きさに形成されており、
前記目地を設けつつ前記ブロックを配置するブロック配置工程と、
前記ブロックの上方から前記枠組を嵌め合わせて、前記ブロックの中腹部分と前記枠組とを係止させる嵌合工程と、
前記目地に前記充填物を充填することにより、前記枠組を埋設する充填工程と、を含むことを特徴とするブロック舗装体の施工方法。
【請求項７】
下端よりも上端が幅狭となるように形成された複数のブロックと、
前記各ブロックに嵌め合わされる複数の枠組孔部を有する枠組と、
前記ブロック同士の間に形成された目地に充填される充填物と、を有するブロック舗装体の施工方法であって、前記ブロックの上端は、前記枠組孔部が挿通する大きさに形成されており、
粒状物を敷き均す粒状物層形成工程と、
前記粒状物の上に前記枠組みを一旦載置する枠組載置工程と、
載置した前記枠組を撤去し、前記粒状物の上に目印を記す目印作成工程と、
前記目印に合わせて前記ブロックを配置するブロック配置工程と、
前記ブロックの上方から前記枠組を嵌め合わせて、前記ブロックの中腹部分と前記枠組とを係止させる嵌合工程と、
前記目地に前記充填物を充填することにより、前記枠組を埋設する充填工程と、を含むことを特徴とするブロック舗装体の施工方法。
【発明の詳細な説明】
【技術分野】
【０００１】
本発明は、ブロック舗装体に関する。
【背景技術】
【０００２】
略同等の形状からなる複数のブロックを目地を設けて配置し、この目地に充填材（充填物）を充填させるブロック舗装体が知られている。このようなブロック舗装体は、ブロックが整然と配設されると共に、目地が均一に保持されることにより、景観に優れた舗装体を提供できるものである。従って、目地が施工時及び施工後において均一に保持されること、即ち、施工時及び施工後において配置されたブロックの移動を抑制することは重要な事項である。
【０００３】
この点、特許文献１には、施工時には、目地にスペーサを介設させてブロックの移動を抑制することが記載されている。また、目地に充填させる充填物として、後に硬化するセメントアスファルトモルタルを用いて、複数のブロックを一体化させ、ブロックの移動を抑制することが記載されている。
【０００４】
また、特許文献２には、複数のブロックに相互に鉄筋を埋設させてユニット化し、このブロックのユニットを用いたブロック舗装体の構造が記載されている。このブロックのユニットは、予めブロック同士が鉄筋により連結されているため、施工時及び施工後のブロックの移動を抑制することができる。また、施工時において既に目地が均一に保持されているため、目地には後に硬化するコンクリートだけでなく、芝などの植物を植生させることができる。
【０００５】
【特許文献１】特許第２９０９９２９号公報
【特許文献２】特開２００１−２８８７０２号公報
【０００６】
しかし、特許文献１に係るブロック舗装体は、ブロックの数に比例してスペーサの数も増えるため、施工時において、ブロックの移動を抑制するための作業が煩雑となる問題があった。
また、特許文献２に係るブロック舗装体は、複数のブロックに相互に鉄筋を埋設させてユニット化する作業は手間がかかるだけでなく、施工コストが割高になるという問題があった。また、ブロックのユニットは、設計変更等に柔軟に対応できないという問題があった。
【０００７】
本発明はかかる問題を解決するためになされたものであり、施工時及び施工後のブロックの移動を抑制することができ、かつ、施工が容易であるブロック舗装体及びその施工方法を提供することを課題とする。
【発明の開示】
【課題を解決するための手段】
【０００８】
請求項１に係る発明は、目地を設けて配置された複数のブロックと、前記目地に配設され、前記各ブロックを嵌め合わせる複数の枠組孔部を有する枠組と、前記目地に充填される充填物と、を有し、前記ブロックの上端は、その下端よりも幅狭であって、かつ、前記枠組孔部が挿通する大きさに形成されており、配置された前記ブロックの上方から前記枠組を嵌め合わせることにより、前記ブロックの中腹部分と前記枠組とが係止されていることを特徴とする。
【０００９】
かかる発明によれば、各ブロックと、枠組に形成された複数の枠組孔部を嵌め合わせるだけで、施工時及び施工後においてブロックの移動を抑制することができ、施工も容易である。また、各ブロックは、予め連結されているものではないため、現場の状況に応じて、ブロックの数、枠組の形状等を適宜対応させて施工することができる。また、煩雑な作業によらないため、比較的安価に施工することができる。
また、ブロックは上端に向って幅狭となるように形成されているため、枠組孔部をブロックに嵌め合わせる作業が容易となる。さらに、ブロックに枠組孔部を嵌め合わせると枠組がブロックの中腹部分で自然に係止される。これにより、ブロックの移動を抑制することができると共に、ブロックの跳ね上がりも抑制することができる。
【００１０】
ここで、本発明において、嵌め合わせる（嵌合する）とは、枠組（枠組孔部）とブロックが接触する場合及びブロックが枠組に包囲され、微小な隙間が生じている場合も含める概念である。また、充填物は、目地に充填されるものであってその種別を問わない。充填物は、例えば、コンクリート、樹脂、植物、土等からなる単体物及びこれらを２種以上積層させたもの又は混合させたものを含む概念である。
【００１３】
請求項２に係る発明は、前記ブロックと前記枠組が接触する接触部において、前記ブロックの水平断面形状と前記枠組孔部を平面視した形状は略同等であり、かつ、前記ブロックの水平断面に係る外周と前記枠組孔部の内周は略同等であることを特徴とする。
【００１４】
かかる発明によれば、接触部におけるブロックの外周と枠組孔部が隙間なく接触するため、ブロックと枠組を強固に一体化させることができ、ブロックの移動をさらに抑制することができる。
【００１７】
請求項３に係る発明は、前記枠組は、鉄筋で構成されていることを特徴とする。
【００１８】
かかる発明によれば、鉄筋で構成された枠組は、強度及び定形性に優れる共に、接合も容易であるため好適である。
【００１９】
請求項４に係る発明は、前記充填物は、用土と、用土の表面に植生される植物であることを特徴とする。
【００２０】
かかる発明によれば、目地に植物を植生させることがきるため、景観に優れたブロック舗装体を提供することができる。
【００２１】
請求項５に係る発明は、前記植物は、芝であることを特徴とする。
【００２２】
かかる発明によれば、芝は、保水性に優れるため、路面温度の上昇を防ぐと共に、根が用土と強固に絡み合うため、用土の流亡を防止することができる。また、緑が映え景観面においても好適である。
【００２３】
請求項６にかかる発明は、下端よりも上端が幅狭となるように形成された複数のブロックと、前記各ブロックに嵌め合わされる複数の枠組孔部を有する枠組と、前記ブロック同士の間に形成された目地に充填される充填物と、を有するブロック舗装体の施工方法であって、前記ブロックの上端は、前記枠組孔部が挿通する大きさに形成されており、前記目地を設けつつ前記ブロックを配置するブロック配置工程と、前記ブロックの上方から前記枠組を嵌め合わせて、前記ブロックの中腹部分と前記枠組とを係止させる嵌合工程と、前記目地に前記充填物を充填することにより、前記枠組を埋設する充填工程と、を含むことを特徴とする。
【００２４】
かかる発明によれば、各ブロックと、枠組に形成された複数の枠組孔部を嵌め合わせるだけで、施工時及び施工後においてブロックの移動を抑制することができ、施工も容易である。また、各ブロックは、予め連結されているものではないため、現場の状況に応じて、ブロックの数、枠組の形状等を適宜対応させて施工することができる。また、煩雑な作業によらないため、比較的安価に施工することができる。
また、ブロックは上端に向って幅狭となるように形成されているため、枠組孔部をブロックに嵌め合わせる作業が容易となる。さらに、ブロックに枠組孔部を嵌め合わせると枠組がブロックの中腹部分で自然に係止される。これにより、ブロックの移動を抑制することができると共に、ブロックの跳ね上がりも抑制することができる。
【００２５】
請求項７に係る発明は、下端よりも上端が幅狭となるように形成された複数のブロックと、前記各ブロックに嵌め合わされる複数の枠組孔部を有する枠組と、前記ブロック同士の間に形成された目地に充填される充填物と、を有するブロック舗装体の施工方法であって、前記ブロックの上端は、前記枠組孔部が挿通する大きさに形成されており、粒状物を敷き均す粒状物層形成工程と、前記粒状物の上に前記枠組みを一旦載置する枠組載置工程と、載置した前記枠組を撤去し、前記粒状物の上に目印を記す目印作成工程と、前記目印に合わせて前記ブロックを配置するブロック配置工程と、前記ブロックの上方から前記枠組を嵌め合わせて、前記ブロックの中腹部分と前記枠組とを係止させる嵌合工程と、前記目地に前記充填物を充填することにより、前記枠組を埋設する充填工程と、を含むことを特徴とする。
【００２６】
かかる発明によれば、ブロックを配置する前に、敷き均された粒状物の上に枠組を一旦置き、この枠組を撤去することにより、枠組孔部の跡（目印）が粒状物の上に記される。これにより、枠組孔部の位置に合わせてブロックを配置することができるため、的確に嵌合工程を行うことができる。
【発明の効果】
【００２７】
本発明によれば、複数のブロックと枠組に形成された複数の枠組孔部を嵌め合わせることにより、施工時及び施工後において、ブロックの移動を抑制することができ、容易にブロック舗装体を施工することができる。
【発明を実施するための最良の形態】
【００２８】
本発明の実施形態について図面を参照して詳細に説明する。説明において、同一の要素には同一の番号を付し、重複する説明は省略する。
【００２９】
図１は、本実施形態に係るブロック舗装体を示した平面図（一部透視図）である。図２は、図１のＡ−Ａ断面図である。図３は、一のコンクリートブロックにおける接触部を示した拡大図であって、（ａ）は、側面図、（ｂ）は平面図である。図４は、本実施形態に係る施工方法を示した平面図であって、（ａ）は、枠組載置工程、（ｂ）は、目印作成工程、（ｃ）は、ブロック配置工程、（ｄ）は、嵌合工程、（ｅ）は、ブロックと枠組が一体化した図を示す。
【００３０】
（第一実施形態）
＜ブロック舗装体の構造＞
ブロック舗装体１は、図１に示すように、コンクリートブロック２，２・・・、枠組３、用土４ａ（図２参照）及び芝４ｂからなる充填物４を有し、外枠Ｗ，Ｗの間に敷設されている。
【００３１】
コンクリートブロック２は、図１及び図２に示すように、平面視四角形であって、先端に向けて幅狭となる錐台形状を呈し、均等の間隔（目地６）を開けて配置されている。コンクリートブロック２は、車や人などによる垂直荷重に対抗すると共に、芝４ｂの植生範囲を定める役割を果たすものである。図２に示すように、コンクリートブロック２の上端と、芝４ｂの上端は、略同一面となるように形成されている。本実施形態に用いるコンクリートブロック２は、上端は約１０ｃｍ×１０ｃｍ、下端は約１８．５ｃｍ×１８．５ｃｍ、高さは１３ｃｍである。なお、これらの寸法は、本発明を限定するものではない。
【００３２】
なお、本実施形態においては、ブロックにはコンクリートブロック２を用いたが、これに限定されるものではなく、例えば、インターロッキングブロック、天然石、舗装用コンクリートブロック、平板、レンガ、樹脂製のブロック及びタイル等であってもよい。また、コンクリートの種類も限定されるものではなく、公知のコンクリートを用いればよい。また、コンクリートブロック２は、本実施形態においては錐台形状としたが、例えば、直方体、円錐台又は多角錐台等であってもよいし、個々のコンクリートブロック２の形状が異なってもよい。
また、図１においては、コンクリートブロック２は１６個配置したが、あくまで例示であって何個配置してもよい。また、コンクリートブロック２の上端と芝４ｂの上端が略同一面となるように形成されているが、これに限定されるものではなく、コンクリートブロック２の上端と、芝４ｂの上端に段差があってもよい。
【００３３】
枠組３は、本実施形態においては、図１に示すように、鉄筋を格子状に接合してコンクリートブロック２に嵌合される枠組孔部７，７・・・（図４の（ｄ）参照）を形成したものである。枠組３は、本実施形態においては、直径約１５ｍｍの異形鉄筋（縦筋３ａ、横筋３ｂ）を用いる。枠組３は、コンクリートブロック２に嵌合されることにより、コンクリートブロック２，２・・・の移動を抑制し、一体化させる役割を果たす。本実施形態においては、枠組孔部７の大きさは約１５ｃｍ×１５ｃｍである。また、枠組孔部７を構成する横筋３ａ，３ａ間の長さ及び縦筋３ｂ，３ｂ間の長さ（図１のｘ参照）は両者とも約５ｃｍである。
【００３４】
なお、本実施形態においては、枠組３は異形鉄筋を用いて形成されたが、これに限定されるものではなく、丸鋼であってもよい。鉄筋の寸法も限定されるものではない。また、枠組３を構成する部材は、鉄筋に限定するものではなく、金属製、木製、樹脂製等の棒状、板状のものでもよい。コンクリートブロック２の移動を抑制し、充填物４に埋設されるため、変形しにくく、腐食しないものが好ましい。
【００３５】
また、本実施形態においては、鉄筋を格子状に接合したがこれに限定されるものではなく、他の形状であってもよい（詳細は後記する）。
【００３６】
接触部９は、図３の（ａ）及び（ｂ）に示すように、コンクリートブロック２の略中腹部において、枠組孔部７（図４の（ｄ）参照）を構成する横筋３ａ，縦筋３ｂとコンクリートブロック２の側面２ａ，２ａ・・・が接触する部分である。図３の（ｂ）に示すように、コンクリートブロック２の側面２ａ，２ａ，２ａ，２ａは、枠組孔部７を構成する鉄筋３ａ，３ａ，３ｂ，３ｂと接触している。そのため、接触部９におけるコンクリートブロック２の水平断面形状と、枠組孔部７を平面視した形状（枠組孔部７を構成する横筋３ａ，３ａ及び縦筋３ｂ，３ｂによって形成される部分）は、両者とも略四角形である。また、接触部９におけるコンクリートブロック２の外周と、枠組孔部７の内周は、略同等である。即ち、コンクリートブロック２と枠組孔部７は、隙間なく接触している。
【００３７】
なお、図３の（ａ）に示すように、本実施形態においては、横筋３ａとコンクリートブロック２が接触する長さｙは、１５ｃｍである。ここで、コンクリートブロック２は、上端に向って幅狭となる錐台形状であり、縦筋３ｂは横筋３ａの上に配筋されるので、縦筋３ｂがコンクリートブロック２と接触する長さｚ（図３の（ｂ）参照）は、長さｙよりもやや短く形成されている。
【００３８】
また、本実施形態においては、上記したように、コンクリートブロック２の上端は、約１０ｃｍ×１０ｃｍの四角形であって、下端は、約１８．５ｃｍ×１８．５ｃｍの四角形である。従って、枠組孔部７（約１５ｃｍ×１５ｃｍの四角形）をコンクリートブロック２の上方から嵌め合わせると、枠組孔部７（枠組３）は、コンクリートブロック２の側面２ａで係止される構造となっている（図３参照の（ａ））。なお、本実施形態においては、コンクリートブロック２と枠組孔部７（枠組３）が係止する高さは、コンクリートブロック２の下端から約５．５ｃｍの位置であるが、これに限定されるものではない。コンクリートブロック２の大きさ、形状等に合わせて、適宜好適な位置で係止させればよい。
【００３９】
充填物４は、図２に示すように、用土４ａ及び芝４ｂからなる。充填物４は、目地６に略均一に充填される。芝４ｂは、表面を平らに均した用土４の表面に植生される。用土４ａは、保水性、通気性等に優れ芝の植生に適した土等であればよい。芝４ｂは、本実施形態においては、野芝を用いるが、特に限定されるものではなく、例えば、高麗芝、ベント芝等の天然芝又は人工芝であってもよい。
【００４０】
なお、本実施形態においては、充填物４として、用土４及び芝５を用いたが、これに限定されるものではない。充填物は、例えば、コンクリート、樹脂、植物、土等からなる単体物及びこれらを２種以上積層させたもの又は混合させたものも含む概念である。
【００４１】
＜ブロック舗装体の施工方法＞
ブロック舗装体１の施工方法について説明する。
（枠組形成工程）
枠組３は、図１に示すように、本実施形態においては、コンクリートブロック２の大きさ、形状に合わせて、枠組孔部７が約１５ｃｍ×１５ｃｍとなるように、格子状に接合する。本実施形態においては、横筋３ａ，３ａ・・・の上に、横筋３ａに対して略直角となるように順次縦筋３ｂを配筋して、溶接により接合する。
なお、溶接方法は限定されるものではなく、公知の技術を用いればよい。また、必ずしも溶接するものではなく、例えば、針金等の緊結具を用いて交差する部分を接合してもよい。
【００４２】
（骨材層形成工程）
骨材層２０は、図２に示すように、本実施形態においては、地面Ｇに骨材（７号砕石）を約３ｃｍ敷き均して形成する。なお、骨材は７号砕石に限定されるものではなく、他のサイズ、種類の砕石を用いてもよい。また、骨材層２０は、コンクリートブロック２に作用する垂直方向の荷重を緩衝させるための働きをするものである。従って、必ずしも敷設しなければならないものではなく、現場の状況によっては、敷設せず地面Ｇの上に直接コンクリートブロック２を配置してもよい。
【００４３】
（粒状物層形成工程）
次に、粒状物層２１は、図２に示すように、骨材層２０の上に、粒径が２ｍｍ程度の砂を約１ｃｍ敷き均して形成する。本実施形態においては、粒状物として粒径が２ｍｍ程度の砂を用いたが、これに限定されるものではなく、枠組３を載置して撤去したとき（後記する目印作成工程）に、目印１０（図４の（ｂ）参照）が残るものであれば他のものであってもよい。なお、粒状物層２１は、必ずしも設けなければならないものではない。
【００４４】
（枠組載置工程）
次に、図４の（ａ）に示すように、枠組３を粒状物層２１の上に一旦載置する。
【００４５】
（目印作成工程）
次に、枠組３を撤去することにより、図４の（ｂ）に示すように、枠組孔部７の目印１０（点線）が粒状物層２１の上に記される。
【００４６】
（ブロック配置工程）
次に、図４の（ｃ）に示すように、目印１０に合わせてコンクリーブロック２，２・・・を配置する。
【００４７】
（嵌合工程）
次に、図４の（ｄ）に示すように、枠組３の枠組孔部７，７・・・をコンクリートブロック２，２・・・の上方から嵌め合わせ、図４の（ｅ）に示すように、コンクリートブロック２と枠組３を一体化させる。
【００４８】
そして、図２に示すように、目地６に用土４ａを充填し、用土４ａの表面を平らに均した後、用土４ａに芝４ｂを植生してブロック舗装体１が完成する。
【００４９】
なお、本実施形態においては、上記の工程順に施工したが、この順番に限定される趣旨ではない。また、枠組３は、現場で形成したが、工場等で予め形成してもよい。
【００５０】
本実施形態によれば、複数のコンクリートブロック２，２・・・に、枠組３に形成された枠組孔部７，７・・・を嵌め合わせるだけで、複数のコンクリートブロック２を一体化
することができる。そのため、コンクリートブロック２の移動を抑制することができ、施工も容易である。また、従来のようにコンクリートブロックのユニット（コンクリートブロックに鉄筋を埋設させて連結させたもの）のように特殊な加工は必要ないため、比較的安価に施工することができる。また、枠組３は、現場で鉄筋を接合するだけで容易に形成することができるため、現場の状況に応じて、ブロックの数、枠組の形状等を適宜対応させて施工することができる。
【００５１】
また、コンクリートブロック２と鉄筋（鉄筋３ａ，３ｂ）は予め結合されているものではないため、各部材の重量が大きくなることはなく、容易に各部材を搬送することができる。
【００５２】
また、目地６にスペーサ（図示せず）等を介設しなくてもコンクリートブロック２の移動を抑制することができるため、芝４ｂの根の育成を遮るものがなく、芝４ｂの植生にも好適である。また、コンクリートブロック２の回りを囲むように芝４ｂを植生することができるため、芝４ｂの植生範囲を広く確保することができる。
【００５３】
また、接触部９におけるコンクリートブロック２の水平断面形状と、枠組孔部７を平面視した形状が略同等であり、かつ、接触部９におけるコンクリートブロック２の外周と、枠組孔部７の内周は略同等である（図３の（ｂ）参照）。即ち、接触部９に係るコンクリートブロック２の外周と枠組孔部７を構成する鉄筋の内周が隙間なく接触することにより、コンクリートブロック２と枠組３をより強固に一体化させることができる。
【００５４】
また、コンクリートブロック２は上端に向って幅狭となるように形成されており、かつ、前記枠組孔部の内周はブロックの上端の外周よりも大きいため、枠組孔部７をコンクリートブロック２に嵌め合わせる作業が容易となる（図３の（ａ）参照）。さらに、コンクリートブロック２の下端は枠組孔部７の内周よりも大きいため、コンクリートブロック２に枠組孔部７を嵌め合わせると枠組３がコンクリートブロック２の側面で自然に係止される。これにより、コンクリートブロック２が一体化され、コンクリートブロック２の移動を抑制すると共に、コンクリートブロック２の跳ね上がりも抑制することができる。また、コンクリートブロック２の形状及び枠組孔部７の大きさを調節することにより、コンクリートブロック２と枠組３が係止される深さを調節することができる。
【００５５】
また、コンクリートブロック２を配置する前に、枠組３を一旦粒状物層２１の上に載置することにより、枠組孔部７の目印１０が粒状物層２１に記される（図４の（ｂ）参照）。これにより、目印１０に合わせて的確な位置にコンクリートブロック２を配置することができる。
【００５６】
上記したブロック舗装体１は、例えば、道路、駐車場、歩道、自転車道及び屋上などで利用することができる。
【００５７】
以上、本発明に係る実施形態について図面を参照して詳細に説明したが、本発明はこれに限られるものではなく、本発明の趣旨を逸脱しない範囲において適宜変更可能である。
例えば、本発明に係るブロックと枠組孔部の形状は様々なバリエーションがある。その変形例を以下に挙げる。なお、第一実施形態と異なる部分を中心に説明し、略同等の部分は説明を省略する。
【００５８】
図５は、参考例を示した斜視図である。図６は、本発明の第一変形例を示した図であって、（ａ）は、平面図、（ｂ）は、（ａ）の一のコンクリートブロックを示した側面図である。図７は、本発明の第二変形例を示した図であって、（ａ）は、平面図、（ｂ）は、（ａ）の一のコンクリートブロックを示した側面図を示す。図８は、本発明の第三変形例を示した図であって、（ａ）は、平面図、（ｂ）は、（ａ）の一のコンクリートブロックを示した側面図である。
【００５９】
（参考例）
例えば、第一施形態においては、錐台形状を呈するコンクリートブロック２を用いたが、図５に示すように、参考例においては、直方体を呈するレンガ３０を用いてもよい。レンガ３０と枠組３１の接触部３３の断面形状は略長方形であって、かつ、レンガ３０の外周と枠組孔部３２の内周は略等しいことから、両者を嵌め合わせることにより一体化させることができる。
また、第一実施形態においては、コンクリートブロック２を配置した後に、枠組３を嵌合させたが、参考例においては、枠組３１を骨材層２０（図示せず）に載置した後に、レンガ３０を枠組孔部３２に嵌め合わせて両者を一体化させている。これにより、ブロックの高さが低く、ブロックの側面が地面Ｇに対して垂直なもの（例えば、レンガのようなもの）であっても好適にブロック舗装体１を施工することができる。
【００６０】
（第一変形例）
例えば、図６の（ａ）及び（ｂ）に示すように、円錐台を呈するコンクリートブロック４０に対して、平面視三角形の枠組孔部４１を呈する枠組４２を形成してもよい。即ち、第一実施形態においては、接触部９におけるコンクリートブロック２の水平断面形状と枠組孔部７を平面視した形状は略同等であったが（図１参照）、第一変形例のように、接触部４３（図６の（ｂ）参照）におけるコンクリートブロック４０の水平断面形状と枠組孔部４１を平面視した形状が異なってもよい。
【００６１】
また、第一実施形態においては、接触部９におけるコンクリートブロック２の外周と枠組孔部７の内周は略同等の長さであったが（図３の（ｂ）参照）、第一変形例のように、接触部４３におけるコンクリートブロック４０の外周と枠組孔部４１の内周が異なってもよい。
つまり、接触部４３におけるコンクリートブロック４０の外周と枠組孔部４１の内周を全て接触させなくても、コンクリートブロック４０の移動を抑制することができる。
【００６２】
（第二変形例）
また、例えば、図７の（ａ）及び（ｂ）に示すように、上端と下端の水平断面が異なるコンクリートブロック５０と、格子状の枠組５１を嵌め合わせてもよい。図７の（ｂ）に示すように、コンクリートブロック５０は、土台部５０ａと突出部５０ｂ及び枠組５１を係止させる係止部５０ｃを備える。係止部５０ｃの高さを調節することにより、コンクリートブロック５０の好適な位置で枠組５１を係止させることができる。
【００６３】
（第三変形例）
また、例えば、図８の（ａ）に示すように、円形の枠組孔部６０を備えた枠組６１を用いてもよい。また、第一実施形態においては、横筋３ａの上に、縦筋３ｂを配筋させたものであるが（図３参照）、第三変形例においては、枠組６１は、鉄筋を全て同一面で接合（溶接）して形成されている。枠組６１は、図８の（ｂ）に示すように、円錐台形状を呈するコンクリートブロック６２の外周を隙間なく接触させることができる。
【００６４】
以上のような変形例により、植生される芝の形状のバリエーションが多数考えられることから、施工する場所の景観に合わせたブロック舗装体を容易に構築することができる。
【図面の簡単な説明】
【００６５】
【図１】本実施形態に係るブロック舗装体を示した平面図（一部透視図）である。
【図２】図２は、図１のＡ−Ａ断面図である。
【図３】一のコンクリートブロックにおける接触部を示した拡大図であって、（ａ）は、側面図、（ｂ）は平面図である。
【図４】本実施形態に係る施工方法を示した平面図であって、（ａ）は、枠組載置工程、（ｂ）は、目印作成工程、（ｃ）は、ブロック配置工程、（ｄ）は、嵌合工程、（ｅ）は、ブロックと枠組が一体化した図を示す。
【図５】参考例を示した斜視図である。
【図６】本発明の第一変形例を示した図であって、（ａ）は、平面図、（ｂ）は、（ａ）の一のコンクリートブロックを示した側面図である。
【図７】本発明の第二変形例を示した図であって、（ａ）は、平面図、（ｂ）は、（ａ）の一のコンクリートブロックを示した側面図を示す。
【図８】本発明の第三変形例を示した図であって、（ａ）は、平面図、（ｂ）は、（ａ）の一のコンクリートブロックを示した側面図である。
【符号の説明】
【００６６】
１      ブロック舗装体
２      コンクリートブロック
３      枠組
４      充填物
４ａ    用土
４ｂ    芝
６      目地
７      枠組孔部
９      接触部
１０    目印
２０    骨材層
２１    粒状物層
【図１】
0004690919.tif 000002
【図２】
0004690919.tif 000003
【図３】
0004690919.tif 000004
【図４】
0004690919.tif 000005
【図５】
0004690919.tif 000006
【図６】
0004690919.tif 000007
【図７】
0004690919.tif 000008
【図８】
0004690919.tif 000009